(57)【特許請求の範囲】
【請求項１】
電線の分岐部において前記電線の周囲を覆う電線保護具であって、
互いに組み合わされることによって分岐した筒体を形成する、一対の分割部材、
を備え、
前記分割部材が、
複数の半筒形状の分岐部と、
複数の雄部と、
複数の雌部と、
を備え、
前記分割部材の線対称軸の少なくとも１つについて、当該線対称軸に対して対称な一対の位置の全てにおいて、対とされている一方の位置に前記雄部が、他方の位置に前記雌部が形成され、
前記分割部材が、
前記分岐部の両側縁に形成された切り欠き部、
を備える、電線保護具。
【請求項２】
請求項１に記載の電線保護具であって、
前記分割部材の線対称軸のうち、当該線対称軸に対して対称な一対の位置の全てにおいて、対とされている一方の位置に前記雄部が、他方の位置に前記雌部が形成されるような線対称軸を特定線対称軸とした場合に、
前記分割部材の全ての線対称軸が、前記特定線対称軸となっている電線保護具。
【請求項３】
電線の分岐部において前記電線の周囲を覆う電線保護具であって、
互いに組み合わされることによって分岐した筒体を形成する、一対の分割部材、
を備え、
前記分割部材が、
複数の半筒形状の分岐部と、
前記複数の分岐部のそれぞれの一方の側縁に形成された雄部、および、他方の側縁に形成された雌部と、
を備え、
前記複数の分岐部のそれぞれが、分岐中心からみて同形状とされる電線保護具。
【請求項４】
分岐した電線と、前記電線の分岐部において前記電線の周囲を覆う電線保護具とを備えるワイヤハーネスであって、
前記電線保護具が、
互いに組み合わされることによって分岐した筒体を形成する、一対の分割部材、
を備え、
前記分割部材が、
複数の半筒形状の分岐部と、
複数の雄部と、
複数の雌部と、
を備え、
前記分割部材の線対称軸の少なくとも１つについて、当該線対称軸に対して対称な一対の位置の全てにおいて、対とされている一方の位置に前記雄部が、他方の位置に前記雌部が形成され、
前記分割部材が、
前記分岐部の両側縁に形成された切り欠き部、
を備える、ワイヤハーネス。
【請求項５】
分岐した電線と、前記電線の分岐部において前記電線の周囲を覆う電線保護具とを備えるワイヤハーネスであって、
前記電線保護具が、
互いに組み合わされることによって分岐した筒体を形成する、一対の分割部材、
を備え、
前記分割部材が、
複数の半筒形状の分岐部と、
前記複数の分岐部のそれぞれの一方の側縁に形成された雄部、および、他方の側縁に形成された雌部と、
を備え、
前記複数の分岐部のそれぞれが、分岐中心からみて同形状とされるワイヤハーネス。
【発明の詳細な説明】
【技術分野】
【０００１】
本発明は、電線の周囲を覆う電線保護具およびそれを備えたワイヤハーネスに関する。
【背景技術】
【０００２】
従来、自動車などの車両に搭載されるワイヤハーネスは、電線（あるいは、複数の電線を束ねた電線束）の周囲を覆う電線保護具を備えることが多い。電線は、電線保護具で覆われることにより、振動又は可動部の動きに応じて周囲の部材との接触することがなくなり、耐久性が高まる。
【０００３】
ところで、電線保護具は、一般に電線の周囲を覆う筒状の部材である。電線のストレート部分を覆う電線保護具は、例えば、ストレートの筒体を半分に分割した分割部材で電線を挟み込んで形成することができる。分割部材同士を連結させるには、例えば、一方の分割部材に爪を形成するとともに、他方の分割部材の対応する位置に爪受けを形成しておき、一対の分割部材で電線を挟み込んだ状態で、一方の分割部材に形成された爪を他方の分割部材に形成された爪受けに嵌め入れて固定すればよい。ただし、この構成においては、爪部が形成された分割部材と、爪受部が形成された分割部材とをそれぞれ準備する必要があるため、部品の製造に用いる金型も２種類準備する必要がある。したがって、電線保護具の製造コストが高くついてしまう。
【０００４】
この点において、例えば特許文献１では、矩形の箱形に形成された「被覆本体１１」に対し、これと同形の「被覆本体１１」を反転させて被せて電線を挟み込んで、電線を雑音障害から護るための雑音吸収装置を形成している。この構成によると、同形の分割部材を組み合わせて雑音吸収装置を形成するので、部品の製造に必要な金型も１種類ですみ、製造コストを抑えることができる。
【０００５】
また、特許文献２には、爪部が形成された分割部材と、爪受けが形成された分割部材とをヒンジ連結により一体化する構成が開示されている。この構成においては、爪部が形成された分割部材と爪受けが形成された分割部材とを、別個に成型する必要がない。したがって、部品の製造に必要な金型も１種類ですむ。しかしながら、この構成は、部品点数が１点ですむという利点はあるものの、分割部材を２つ並べた部材を製造することになるので、部品の成型に必要な金型のサイズも大きくなる。したがって、結局は、電線保護具の製造コストを効果的に抑えることができない。
【先行技術文献】
【特許文献】
【０００６】
【特許文献１】特開平１１−１２６９９０号公報
【特許文献２】特開平８−１８２１４５号公報
【発明の概要】
【発明が解決しようとする課題】
【０００７】
ところで、ワイヤハーネスは常にストレート形状とされるものではなく、途中で分岐されることもあり、この分岐部分において電線を保護する電線保護具は、電線と同じように分岐している必要がある。電線の分岐部分を覆う電線保護具は、例えば、分岐した筒体を半分に分割した分割部材で電線を挟み込んで形成することができる。
【０００８】
この場合も、電線保護具の製造コストを抑えるためには、分割部材を同形状とすることが好ましい。ところが、分岐した形状の電線保護具を形成する場合、分割部材は、複数の分岐部を持つ複雑な形状となるため、爪部、爪受部の形成位置によっては、同形の分割部材の一方を反転させて他方の分割部材に被せた場合に、爪部と爪部、あるいは、爪受部と爪受部とが対向してしまい、分割部材同士を連結できないという事態が生じる可能性が非常に高くなる。このため、従来においては、分岐した電線保護具を形成する場合には、爪部が形成された分割部材と、爪受部が形成された分割部材とを、それぞれ形成する、あるいは、これらをヒンジ連結した部材を形成する、という態様をとらざるを得なかった。
【０００９】
この発明は、上記課題に鑑みてなされたものであり、電線の分岐部において電線の周囲を覆う電線保護具を、同形状の部材の組み合わせから形成できる技術を提供することを目的とする。
【課題を解決するための手段】
【００１０】
第１の態様に係る発明は、電線の分岐部において前記電線の周囲を覆う電線保護具であって、互いに組み合わされることによって分岐した筒体を形成する、一対の分割部材、を備え、前記分割部材が、複数の半筒形状の分岐部と、複数の雄部と、複数の雌部と、を備え、前記分割部材の線対称軸の少なくとも１つについて、当該線対称軸に対して対称な一対の位置の全てにおいて、対とされている一方の位置に前記雄部が、他方の位置に前記雌部が形成される。
【００１１】
第２の態様に係る発明は、第１の態様に係る電線保護具であって、前記分割部材の線対称軸のうち、当該線対称軸に対して対称な一対の位置の全てにおいて、対とされている一方の位置に前記雄部が、他方の位置に前記雌部が形成されるような線対称軸を特定線対称軸とした場合に、前記分割部材の全ての線対称軸が、前記特定線対称軸となっている。
【００１３】
また、第１の態様に係る発明は、前記分割部材が、前記分岐部の両側縁に形成された切り欠き部、を備える。
【００１６】
第３の態様に係る発明は、電線の分岐部において前記電線の周囲を覆う電線保護具であって、互いに組み合わされることによって分岐した筒体を形成する、一対の分割部材、を備え、前記分割部材が、複数の半筒形状の分岐部と、前記複数の分岐部のそれぞれの一方の側縁に形成された雄部、および、他方の側縁に形成された雌部と、を備え、前記複数の分岐部のそれぞれが、分岐中心からみて同形状とされる。
【００１７】
第４の態様に係る発明は、分岐した電線と、前記電線の分岐部において前記電線の周囲を覆う電線保護具とを備えるワイヤハーネスであって、前記電線保護具が、互いに組み合わされることによって分岐した筒体を形成する、一対の分割部材、を備え、前記分割部材が、複数の半筒形状の分岐部と、複数の雄部と、複数の雌部と、を備え、前記分割部材の線対称軸の少なくとも１つについて、当該線対称軸に対して対称な一対の位置の全てにおいて、対とされている一方の位置に前記雄部が、他方の位置に前記雌部が形成される。さらに、前記分割部材が、前記分岐部の両側縁に形成された切り欠き部、を備える。
【００１８】
第５の態様に係る発明は、分岐した電線と、前記電線の分岐部において前記電線の周囲を覆う電線保護具とを備えるワイヤハーネスであって、前記電線保護具が、互いに組み合わされることによって分岐した筒体を形成する、一対の分割部材、を備え、前記分割部材が、複数の半筒形状の分岐部と、前記複数の分岐部のそれぞれの一方の側縁に形成された雄部、および、他方の側縁に形成された雌部と、を備え、前記複数の分岐部のそれぞれが、分岐中心からみて同形状とされる。
【発明の効果】
【００１９】
第１〜第５の態様に係る発明によると、一方の分割部材を、線対称軸を軸にして裏返して他方の分割部材と突き合わすと、一方の分割部材に形成された複数の雄部のそれぞれと、他方の分割部材に形成された複数の雌部のそれぞれとが対向することになり、この状態で雄部と雌部とを嵌め合わすことによって分岐した筒体を形成することができる。この構成によると、同形状の分割部材を２個組み合わせることによって、分岐した電線保護具を形成することができる。すなわち、電線の分岐部において電線の周囲を覆う電線保護具を、同形状の部材の組み合わせから形成することができる。
【００２０】
特に、第２、第３、および第５の態様に係る発明によると、一方の分割部材を、どの線対称軸を軸にして裏返しても他方の分割部材と嵌め合わすことができる。この構成によると、一対の分割部材を組み合わせて分岐した筒体を形成する際の作業効率が良好なものとなる。
【００２２】
また、第１、第２、および第４の態様に係る発明によると、電線保護具により電線の周囲が覆われた状態において、一方の分割部材の側縁に形成された切り欠き部と他方の分割部材の側縁に形成された切り欠き部とが対向して１個の窓部が形成され、この窓部から電線の一部が露出することになる。この構成においては、例えば、電線保護具の窓部の内部に沿わせるようにして電線保護具にテープ等を巻き付けることによって、電線を電線保護具に対して固定することができる。
【図面の簡単な説明】
【００２５】
【図１】第１の実施の形態に係るワイヤハーネスの斜視図である。
【図２】分割部材の斜視図である。
【図３】連結用部材の配置ルールを説明するための図である。
【図４】ワイヤハーネスの製造方法を説明するための図である。
【図５】第２の実施の形態に係るワイヤハーネスの斜視図である。
【図６】ワイヤハーネスにおける固定用テープが巻かれた部分を示す図である。
【図７】ワイヤハーネスの断面図である。
【図８】第３の実施の形態に係るワイヤハーネスの斜視図である。
【図９】分割部材における分岐部の先端付近を拡大して示す図である。
【図１０】ワイヤハーネスにおける固定用テープが巻かれた部分を示す図である。
【図１１】３個の分岐部を備える分割部材における、連結用部材の配置ルールを説明するための図である。
【図１２】３個の分岐部を備える分割部材における、連結用部材の配置ルールを説明するための図である。
【図１３】第２の変形例に係るワイヤハーネスの斜視図である。
【図１４】第３の変形例に係るワイヤハーネスの斜視図である。
【図１５】第４の変形例に係るワイヤハーネスの斜視図である。
【図１６】第４の変形例に係るワイヤハーネスの斜視図である。
【図１７】第４の変形例に係るワイヤハーネスの斜視図である。
【図１８】第５の変形例に係るワイヤハーネスの斜視図である。
【発明を実施するための形態】
【００２６】
以下、添付の図面を参照しながら、本発明の実施形態について説明する。以下の実施形態は、本発明を具体化した一例であり、本発明の技術的範囲を限定する事例ではない。本発明の実施形態に係るワイヤハーネスは、例えば、自動車などの車両に搭載され、バッテリ又はインバータ回路などの電力供給源と電装機器との間、又は複数の電装機器相互間を接続する。
【００２７】
＜第１の実施の形態＞
＜１．ワイヤハーネス＞
図１を参照しつつ、本発明の第１の実施形態に係るワイヤハーネス１００について説明する。図１は、ワイヤハーネス１００の斜視図である。
【００２８】
ワイヤハーネス１００は、１本又は複数本の電線９と、電線保護具１とを備える。電線９は途中で分岐しており、電線保護具１は電線９と同じように分岐して、電線９の分岐部分に装着される。なお、図１では、４分岐した電線９に４分岐した電線保護具１が装着された様子が示されているが、電線９および電線保護具１の分岐数は４分岐に限らない。電線９がｎ（ｎは２以上の整数）股に分岐している場合、これに装着される電線保護具１はｎ股に分岐した形状とされる。
【００２９】
＜１−１．電線＞
電線９は、導線が絶縁被覆によって覆われたケーブルであり、例えば、丸ケーブル又はフラットケーブルなどである。電線９の端部には、通常、コネクタ（図示省略）等が設けられる。電線９は、その分岐部に電線保護具１が取り付けられることにより、分岐部周辺が周囲に存在する物体との接触によって破損することが防止される。なお、電線９と電線保護具１との間には、電線９の周囲を覆う編組線などのシールド部材が設けられてもよい。
【００３０】
＜１−２．電線保護具＞
電線保護具１は、電線９の分岐部において電線９の周囲を覆う、分岐した筒体を形成する用具である。電線保護具１は、分岐した筒体を半分に分割した形状の分割部材１１で電線９を挟み込んで形成される。ここで、一対の分割部材１１は、同形状の部材である。
【００３１】
分割部材１１の構成について、図２を参照しながら説明する。図２は、分割部材１１の斜視図である。
【００３２】
分割部材１１は、例えば、ポリアミド（ＰＡ）、ポリプロピレン（ＰＰ）、ポリブチレンテレフタレート（ＰＢＴ）又はＡＢＳ樹脂などの樹脂を例えば一体成形することにより形成される。
【００３３】
分割部材１１は、互いに組み合わされることによって分岐した筒体を形成する部材であり、複数の分岐部１１１を備える。図２には、いずれも同じ長さであり、かつ、互いに等しい分岐角度で分岐した（すなわち、分岐中心Ｑから均等な分岐角度で延びる）、４個の分岐部１１１を備える分割部材１１が示されている。分割部材１１が備える複数の分岐部１１１のそれぞれは、半筒形状に形成され、内側に電線９が挿入される溝を形成する。なお、図示の例では、各分岐部１１１は、半円筒形状に形成されているが、各分岐部１１１は、内側に電線９が挿入される溝を形成する半筒状の部材であれば他の形状の部材であってもよい。例えば、半楕円筒状又は半角柱状であってもよい。
【００３４】
分割部材１１の各分岐部１１１の先端部における、半筒体の周方向に沿う端部位置Ｐには、連結用の部材である爪部２あるいは爪受部３が形成される。ただし、分割部材１１には、爪部２と爪受部３とが同数個ずつ形成される。つまり、分割部材１１が例えばｎ個の分岐部１１１を備える場合、２ｎ個の端部位置Ｐが存在し、このうちのｎ箇所に爪部２が形成され、残りのｎ箇所に爪受部３が形成されることになる。
【００３５】
爪部２と爪受部３とは互いに嵌め合い可能な形状とされている。具体的には、爪受部３は係合用の貫通孔３１を備え、この貫通孔３１に爪部２が挿入され、爪部２の先端に形成された突起２１が引っ掛かることによって、爪部２が爪受部３に抜け留め防止状態に嵌め合わされる（図１参照）。ただし、爪部２および爪受部３は、互いに嵌め合い可能な形状であればどのようなものでもよく、必ずしも上記の形状である必要はない。
【００３６】
＜１−３．連結用部材の配置ルール＞
上述したとおり、分割部材１１には、分岐部１１１の個数と同数個の爪部２と、爪部２と同数個の爪受部３とが形成される。ここで、複数個の爪部２と複数個の爪受部３とを、分割部材１１においてどのように配置するかは、定められた配置ルールにしたがって決定される。この配置ルールについて、図３を参照しながら説明する。図３は、連結用部材の配置ルールを説明するための図である。
【００３７】
まず、分割部材１１の線対称軸を１つ選択する（第１ステップ）。ただし、分割部材１１に複数の線対称軸が存在する場合、いずれの線対称軸が選択されてもよい。例えば、図３に例示されるように、各分岐部１１１がいずれも同じ長さであり、かつ、等しい分岐角度で分岐しているような分割部材１１には４つの線対称軸が存在するが、この４つの線対称軸のうちのいずれが選択されてもよい。図３においては、「線対称軸Ｋ１」と示される線対称軸が選択されたとする。
【００３８】
続いて、選択された線対称軸Ｋ１を挟んで一方の側（例えば左側）にある複数の端部位置Ｐに爪部２、あるいは、爪受部３を配置する（第２ステップ）。この側には、爪部２、あるいは、爪受部３をどのように配置してもよい。
【００３９】
例えば、第２ステップにおいて、線対称軸Ｋ１を挟んで一方の側（例えば左側）にある複数の端部位置Ｐの全てに爪部２を配置してもよい（配置パターンＡ１参照）。
【００４０】
また例えば、第２ステップにおいて、線対称軸Ｋ１を挟んで一方の側（例えば左側）にある１つの端部位置Ｐに例えば爪部２を配置した場合、当該端部位置Ｐと線対称軸（選択された線対称軸Ｋ１とは別の線対称軸）Ｋ２を挟んで対象となる端部位置Ｐには、異なる種類の連結用部材である爪受部３を配置する、といった具合に連結用部材を配置していってもよい（配置パターンＡ２参照）。この場合、線対称軸Ｋ１を挟んで一方の側（例えば左側）にある複数の端部位置Ｐのうち、ある端部位置Ｐと、当該端部位置Ｐと線対称軸Ｋ２を挟んで対象となる端部位置Ｐとには、異なる種類の連結用部材がそれぞれ配置されることになる。
【００４１】
また例えば、第２ステップにおいて、線対称軸Ｋ１を挟んで一方の側（例えば左側）にある１つの端部位置Ｐに例えば爪部２を配置した場合、当該端部位置Ｐといずれかの線対称軸（分割部材１１が有する複数の線対称軸のうちのいずれかの線対称軸）Ｋ２，Ｋ３，Ｋ４を挟んで対象となる各端部位置Ｐには、異なる種類の連結用部材である爪受部３を配置する、といった具合に連結用部材を配置していってもよい（配置パターンＡ３参照）。この場合、線対称軸Ｋ１を挟んで一方の側（例えば左側）にある複数の端部位置Ｐのうち、ある端部位置Ｐと、当該端部位置Ｐといずれかの線対称軸Ｋ２，Ｋ３，Ｋ４を挟んで対象となる各端部位置Ｐとには、異なる種類の連結用部材がそれぞれ配置されることになる。
【００４２】
選択された線対称軸Ｋ１を挟んで一方の側（例えば左側）にある複数の端部位置Ｐのそれぞれに爪部２、あるいは、爪受部３が配置されると、続いて、他方の側にある複数の端部位置Ｐに爪部２、あるいは、爪受部３を配置する（第３ステップ）。ここでは、線対称軸Ｋ１を挟んで対称となる一対の端部位置Ｐには、異なる種類の連結用部材が配置されるように、爪部２あるいは爪受部３を配置する。つまり、第２ステップにおいて爪部２が配置された端部位置Ｐと線対称軸Ｋ１を挟んで対象となる端部位置Ｐには、異なる種類の連結用部材である爪受部３を配置する。また、第２ステップにおいて爪受部３が配置された端部位置Ｐと線対称軸Ｋ１を挟んで対象となる端部位置Ｐには、異なる種類の連結用部材である爪部２を配置する。
【００４３】
第１ステップ〜第３ステップにしたがって連結用部材を配置すると、第１ステップで選択された線対称軸Ｋ１に対して対称の位置にある端部位置Ｐをペアとみた場合に、全てのペアのそれぞれにおいて、異なる種類の連結用部材が配置されることになる。つまり、ペアとされた端部位置Ｐの一方に爪部２が、他方に爪受部３がそれぞれ配置されることになる。
【００４４】
以下において、分割部材１１に規定される複数の線対称軸のうち、当該線対称軸について対称の位置にある端部位置Ｐをペアとみた場合に、全てのペアのそれぞれにおいて、異なる種類の連結用部材が配置されているような線対称軸を、「特定線対称軸」という。図３に例示される各配置パターンＡ１，Ａ２，Ａ３においては、第１ステップで選択された線対称軸Ｋ１が特定線対称軸となっている。特に、配置パターンＡ２の場合、当該線対称軸Ｋ１だけでなく、これとは別の線対称軸Ｋ２も特定線対称軸となっている。また、配置パターンＡ３の場合、分割部材１１が有する全ての線対称軸Ｋ１〜Ｋ４が特定線対称軸となっている。
【００４５】
ところで、配置パターンＡ３（すなわち、分割部材１１が有する全ての線対称軸Ｋ１〜Ｋ４が特定線対称軸となるような配置パターン）は、上記に説明した配置ルールとは異なる配置ルールにしたがって形成することもできる。すなわち、配置パターンＡ３は、分割部材１１が備える複数の分岐部１１１のそれぞれを分割部材１１の分岐中心Ｑからみて同形状とすることによって形成することができる。例えば、各分岐部１１１において、いずれも、その根元部分（分割部材１１の分岐中心Ｑ）からみて同じ方向（例えば左方向）にある端部位置Ｐを爪部２の形成位置とし、他方の端部位置Ｐを爪受部３の形成位置とすれば、各分岐部１１１は、分割部材１１の分岐中心Ｑからみて同形状となる。このような配置ルールにしたがって連結用部材を配置しても、配置パターンＡ３を形成することができる。
【００４６】
＜２．製造方法＞
ワイヤハーネス１００の製造方法について、図４を参照しながら説明する。図４は、ワイヤハーネス１００の製造方法を説明するための図である。
【００４７】
ワイヤハーネス１００を製造する場合、作業者は、溝部を下に向けた姿勢とした分割部材１１と、裏返して溝部を上に向けた姿勢とした分割部材１１とで電線９を挟み込む。この際、作業者は、同形状の２個の分割部材１１の一方を、特定線対称軸を軸にして裏返して、電線９を挟んで他方の分割部材１１と突き合わせる。すると、一方の分割部材１１に形成された複数の爪部２のそれぞれと、他方の分割部材１１に形成された複数の爪受部３のそれぞれとが対向した状態となる。ただし、分割部材１１を、特定線対称軸以外の線対称軸を軸にして裏返して他方の分割部材１１と突き合わした場合、一部の端部位置Ｐにおいて爪部２同士、あるいは、爪受部３同士が対向する箇所がでてきてしまう。この場合は、どちらかの分割部材１１を、分岐中心Ｑを通る回転軸を中心に回転させて位置あわせを行うことによって、一方の分割部材１１に形成された複数の爪部２のそれぞれと、他方の分割部材１１に形成された複数の爪受部３のそれぞれとが対向した状態とすることができる。
【００４８】
続いて作業者は、互いに対向し合う爪部２と爪受部３とを嵌め合わせて、一方の分割部材１１に形成された複数の爪部２のそれぞれを、他方の分割部材１１に形成された対向する爪受部３のそれぞれにはめ込んだ状態とする。これによって、一対の分割部材１１が連結されて筒状となり、電線保護具１が電線９に装着されたワイヤハーネス１００が得られることになる（図１）。
【００４９】
電線保護具１を電線９に装着する際の作業性を考えると、分岐中心Ｑを軸として回転させる位置あわせの作業を行わなくてすむ方が好ましい。この点において、例えば、図３に例示される配置パターンＡ３は、分割部材１１の全ての線対称軸Ｋ１〜Ｋ４が特定線対称軸となっているので、分割部材１１を線対称軸Ｋ１〜Ｋ４のいずれを軸にして裏返しても、全ての端部位置Ｐにおいて爪部２と爪受部３とが対向することになる。すなわち、回転による位置あわせは不要となり、作業者の作業効率が良好なものとなる。
【００５０】
＜３．効果＞
上記の実施の形態においては、一方の分割部材１１を、特定線対称軸を軸にして裏返して他方の分割部材１１と突き合わすと、一方の分割部材１１に形成された複数の爪部２のそれぞれと、他方の分割部材１１に形成された複数の爪受部３のそれぞれとが対向することになり、この状態で対向する爪部２と爪受部３とを嵌め合わすことによって分岐した筒体を形成することができる。この構成によると、同形状の分割部材１１を２個組み合わせることによって、分岐した電線保護具１を形成することができる。すなわち、電線９の分岐部において、電線９の周囲を覆う電線保護具１を、同形状の部材の組み合わせから形成することができる。
【００５１】
特に、配置パターンＡ３を採用すれば、一方の分割部材１１を、どの線対称軸を軸にして裏返しても他方の分割部材１１と嵌め合わすことができる。この構成によると、一対の分割部材１１を組み合わせて分岐した筒体を形成する際の作業効率が良好なものとなる。
【００５２】
＜第２の実施の形態＞
本発明の第２の実施形態に係るワイヤハーネス１００ａ、および、ワイヤハーネス１００ａが備える電線保護具１ａについて、図５〜図７を参照しながら説明する。図５は、ワイヤハーネス１００ａの斜視図である。図６は、ワイヤハーネス１００ａにおける固定用テープ９０が巻かれた部分を拡大して示す図である。また、図７は、ワイヤハーネス１００ａを図６の矢印Ａ方向から見た断面図である。ただし、図５〜図７において、図１から図４に示される構成要素と同じ構成要素は、同じ参照符号が付されている。また、以下において、上述したワイヤハーネス１００と同じ部分については説明を省略し、異なる部分についてのみ説明する。
【００５３】
＜１．分割部材１１ａ＞
ワイヤハーネス１００ａが備える電線保護具１ａは、一対の分割部材１１ａを備える。分割部材１１ａが備える各分岐部１１１ａの筒面には、窓部４が形成される。窓部４は、電線保護具１ａ内に挿通された電線９の一部を露出させるための機能部である。窓部４は、その長さ（分岐部１１１ａの延在方向に沿う長さ）が、少なくとも固定用テープ９０の幅より大きく形成される。また、窓部４は、その幅（分岐部１１１ａの周方向に沿う長さ）が、例えば分岐部１１１ａの幅（周方向に沿う長さ）の例えば３分の２以上とされることが好ましい。なお、図の例では、窓部４は矩形状とされているが、必ずしも矩形状でなくともよく、例えば楕円形状等であってもよい。
【００５４】
なお、窓部４は、分割部材１１ａの分岐中心Ｑと分岐部１１１との先端との中央付近に形成されてもよいし、分岐部１１１ａの先端に寄りに形成されてもよい。後者の場合、後に明らかになるように、電線保護具１ａにおける各分岐部の先端付近（すなわち、電線９の出口付近）において、電線９を電線保護具１ａに対して固定することができるため、電線９が保護部材付電線１ａからより抜けにくいという利点がある。
【００５５】
＜２．製造方法＞
ワイヤハーネス１００ａの製造方法について説明する。ワイヤハーネス１００ａを製造する場合、作業者は、一対の分割部材１１ａの間に電線９を挟み込んで、一対の分割部材１１ａを互いに連結して筒状とする。この工程の詳細は、第１の実施の形態において説明した通りである。上述したとおり、分割部材１１ａの各分岐部１１１ａには窓部４が形成されている。したがって、一対の分割部材１１ａが電線９の上下側から組み合わされて形成される電線保護具１ａにおいては、各分岐部に、上下に対向する一対の窓部４が形成されることになり、この一対の窓部４から電線９の上側と下側とが露出することになる。
【００５６】
電線保護具１ａが電線９に装着されると、続いて、作業者は、窓部４の内部に沿わせるようにして固定用テープ９０を巻き付ける。これによって、電線９が電線保護具１ａに対して固定される。具体的には、図７に示されるように、電線保護具１ａの内部において、固定用テープ９０が電線９を上下（分割部材１１ａの対向方向）から挟み込むようにして電線９を固定する。この構成においては、電線９は、その延在方向について電線保護具１ａに対して固定されるとともに、電線保護具１ａの内部において上下に動かないように抑えられる。
【００５７】
＜３．効果＞
保護部材付電線１ａに対して電線９が固定されていない場合、保護部材付電線１ａのいずれか分岐部から電線９が過剰に引っ張り出されてしまい、電線保護具１ａの分岐中心Ｑと電線９の分岐中心とがずれてしまう可能性がある。このような事態が生じると、電線９を定められた寸法で車両内等に配索することができず、問題となる。この実施の形態に係る電線保護具１ａにおいては、窓部４の内部に沿わせるようにして電線保護具１ａに固定用テープ９０を巻き付けることによって電線９を電線保護具１ａに対して固定することができるので、上記の問題は生じない。
【００５８】
＜第３の実施の形態＞
本発明の第３の実施形態に係るワイヤハーネス１００ｂ、および、ワイヤハーネス１００ｂが備える電線保護具１ｂについて、図８〜図１０を参照しながら説明する。図８は、ワイヤハーネス１００ｂの斜視図である。図９は、分割部材１１ｂにおける分岐部１１１ｂの先端付近を拡大して示す図である。図１０は、ワイヤハーネス１００ｂにおける固定用テープ９０が巻かれた部分を拡大して示す図である。ただし、図８〜図１０において、図１から図４に示される構成要素と同じ構成要素は、同じ参照符号が付されている。また、以下において、上述したワイヤハーネス１００と同じ部分については説明を省略し、異なる部分についてのみ説明する。
【００５９】
＜１．分割部材１１ｂ＞
ワイヤハーネス１００ｂが備える電線保護具１ｂは、一対の分割部材１１ｂを備える。分割部材１１ｂが備える各分岐部１１１ｂの先端には、その先端位置からさらに先に向かって延設されたベロ状の突起部５が形成される。突起部５は、例えば、各分岐部１１１ｂの先端に板状部材を着設することにより形成される。なお、半円筒状の分岐部１１１ｂの先端に板状部材を着設するにあたっては、例えば図９に示されるように、分岐部１１１ｂの先端における溝の底部にリブ５１を形成し、リブ５１の側面に板状部材の側端面を着設すればよい。
【００６０】
突起部５の着設端部の付近には、その厚み（分岐部１１１ｂの表裏方向に沿う厚み）が他の部分よりも薄い肉薄部５２が形成される。これによって、突起部５は、分岐部１１１ｂの表裏方向に揺動可能とされている。
【００６１】
＜２．製造方法＞
ワイヤハーネス１００ｂの製造方法について説明する。ワイヤハーネス１００ｂを製造する場合、作業者は、一対の分割部材１１ｂの間に電線９を挟み込んで、一対の分割部材１１ｂを互いに連結して筒状とする。この工程の詳細は、第１の実施の形態において説明した通りである。上述したとおり、分割部材１１ｂの各分岐部１１１ｂの先端には突起部５が形成されている。したがって、一対の分割部材１１ｂが電線９の上下側から組み合わされて形成される電線保護具１ｂにおいては、各分岐部の先端（すなわち、電線９の出口）に、上下に対向する一対の突起部５が形成されることになる。
【００６２】
電線保護具１ｂが電線９に装着されると、続いて、作業者は、電線保護具１ｂの各分岐部の先端からのびる一対の突起部５で電線９を上下から挟み込んで、固定用テープ９０を巻き付ける。ただし、上述したとおり、各突起部５は分割部材１１ｂの表裏方向（すなわち、電線保護具１ｂの径方向）に揺動可能とされている。したがって、電線９の径が小さい場合は、突起部５を電線保護具１ｂの筒中心に向けて揺動させて、突起部５を電線９に密着させ、この状態で固定用テープ９０を巻き付ける。これによって、電線９が電線保護具１ｂに対して確実に固定される。この構成においては、電線９は、その延在方向について電線保護具１ｂに対して固定されるとともに、電線保護具１ｂの内部において上下および左右に動かないように抑えられる。
【００６３】
なお、分割部材１１においては、必ずしも全ての分岐部１１１ｂに突起部５を形成する必要はない。例えば、特定線対称軸を挟んで対称の位置にある一対の分岐部１１１ｂの少なくとも一方のみに突起部５を形成する構成としてもよい。この構成によると、一対の分割部材１１ｂが電線９の上下側から組み合わされて形成される電線保護具１ｂにおいては、各分岐部の先端において、少なくとも上下のいずれかに突起部５が形成されることになる。１個の突起部５が形成された分岐部の先端においては、当該突起部５と電線９とを密着させ、この状態で固定用テープ９０を巻き付けることによって、電線９を電線保護具１ｂに対して固定することができる。
【００６４】
＜３．効果＞
この実施の形態に係る電線保護具１ｂにおいては、電線保護具１ｂの筒内部から延びる電線９と、筒端部に形成された突起部５とをテープ巻き等することによって、電線９を電線保護具１ｂに対して固定することができる。したがって、第２の実施の形態と同様の効果を得ることができる。
【００６５】
特に、上記の実施の形態によると、突起部５を揺動させてこれを電線保護具１ｂの筒内部から延びる電線９に密着させることが可能となり、この状態で、電線９と突起部５とをテープ巻き等することによって、電線９を電線保護具１ｂに対して固定することができる。この構成によると、電線９の径が小さい場合であっても、これを電線保護具１ｂに対して確実に固定することができる。
【００６６】
＜第１の変形例＞
上述したとおり、上記の各実施の形態に係る電線保護具１，１ａ，１ｂが備える分岐の個数は４個に限られるものではない。分割部材１１，１１ａ，１１ｂがｎ個の分岐部１１１，１１１ａ，１１１ｂを備える場合、２ｎ個の端部位置Ｐにｎ個の爪部２とｎ個の爪受部３とをどのように配置するかは、上記に説明したルールに従って決定される。
【００６７】
図１１には、いずれも同じ長さであり、かつ、等しい分岐角度で分岐した３個の分岐部を備える分割部材１１ｃにおいて、上記に説明したルールにしたがった爪部２および爪受部３の配置パターンが３個例示されている。ここに例示される各配置パターンＡ１１，Ａ１２，Ａ１３においては、線対称軸Ｌ１が特定線対称軸となっている。特に、配置パターンＡ１３の場合、分割部材１１ｃの全ての線対称軸Ｌ１〜Ｌ３が特定線対称軸となっている。
【００６８】
図１２には、いずれも同じ長さであり、異なる分岐角度で分岐した３個の分岐部を備える分割部材１１ｄにおいて、上記に説明したルールにしたがった爪部２および爪受部３の配置パターンが３個例示されている。ここに例示される各配置パターンＡ２１，Ａ２２，Ａ２３においては、線対称軸Ｍ１が特定線対称軸となっている。
【００６９】
＜第２の変形例＞
第２の実施の形態に係るワイヤハーネス１００ａにおいては、その備える電線保護具１ａを形成する分割部材１１ａにおいて、各分岐部１１１ａの筒面に窓部４が形成されていた。ここで、窓部４に代えて、各分岐部１１１ｅの筒面の両側縁に切り欠き部６を形成する構成としてもよい。
【００７０】
図１３には、この変形例に係るワイヤハーネス１００ｅが示されている。この変形例においては、一対の分割部材１１ｅの間に電線９を挟み込んで、一対の分割部材１１ｅを互いに連結して筒状とした状態において、各分割部材１１ｅに形成された切り欠き部６が向かい合って１個の窓部６０が形成される。すなわち、一対の分割部材１１ｅが電線９の上下側から組み合わされて形成される電線保護具１ｅにおいては、各分岐部に、左右（分割部材１１ｅの対向方向および電線９の延在方向と直交する方向）に対向する一対の窓部６０が形成されることになり、この一対の窓部６０から電線９の左側と右側とが露出することになる。
【００７１】
ここでも、作業者が、窓部６０の内部に沿わせるようにして固定用テープ９０を巻き付けることによって、電線９を電線保護具１ｅに対して固定することができる。ここでは、電線保護具１ｅの内部において、固定用テープ９０が電線９を左右（分割部材１１ａの対向方向と直交する方向）から挟み込むようにして電線９を固定する。したがって、電線９は、その延在方向について電線保護具１ｅに対して固定されるとともに、電線保護具１ｅの内部において左右に動かないように抑えられる。
【００７２】
＜第３の変形例＞
第３の実施の形態に係るワイヤハーネス１００ｂにおいては、その備える電線保護具１ｂを形成する分割部材１１ｂにおいて、各分岐部１１１ｂの先端に突起部５が形成されていた。ここで、突起部５を分割部材１１ｂに着設する態様は、上記に説明したリブ５１を設ける構成に限らない。例えば、図１４に示されるように、電線保護具１ｆを形成する各分割部材１１ｆの各分岐部１１１ｆに、その延在方向に沿う平坦部５３を形成し、平坦部５３の側面に板状部材の側端面を着設する構成としてもよい。
【００７３】
＜第４の変形例＞
第３の実施の形態に係るワイヤハーネス１００ｂにおいては、その備える電線保護具１ｂを形成する分割部材１１ｂにおいて、各分岐部１１１ｂの先端に板状部材を着設することにより突起部５が形成されていたが、突起部５を形成する態様はこれに限らない。例えば、図１５〜図１７に示されるように、分岐部の先端の一部を切り欠くことによって突起部を形成してもよい。
【００７４】
図１５に示されるワイヤハーネス１００ｇにおいては、電線保護具１ｇを形成する各分割部材１１ｇの各分岐部１１１ｇは、その先端部において、筒面の両側縁に切り欠き７１０が形成される。これによって、筒面の中央にベロ状の突起部７１が形成されることになる。この分割部材１１ｇが電線９の上下側から組み合わされて形成される電線保護具１ｇにおいては、各分岐部の先端（すなわち、電線９の出口）に、上下に対向する一対の突起部７１が形成されることになる。作業者が、上下に対向する一対の突起部７１の周囲に沿わせるようにして固定用テープ９０を巻き付けることによって、電線９が電線保護具１ｇに対して固定される。ここでは、電線保護具１ｇの内部において、固定用テープ９０が電線９を左右（分割部材１１ｇの対向方向と直交する方向）から挟み込むようにして電線９を固定する。したがって、電線９は、その延在方向について電線保護具１ｇに対して固定されるとともに、電線保護具１ｇの内部において左右に動かないように抑えられる。
【００７５】
図１６に示されるワイヤハーネス１００ｈにおいては、電線保護具１ｈを形成する分割部材１１ｈの各分岐部１１１ｈは、その先端部において、筒面の一方の側縁に切り欠き７２０が形成される。これによって、筒面の側方にベロ状の突起部７２が形成されることになる。この分割部材１１ｈが電線９の上下側から組み合わされて形成される電線保護具１ｈにおいては、各分岐部の先端（すなわち、電線９の出口）に、斜め方向（分割部材１１ｈの対向方向に対して斜めの方向）に対向する一対の突起部７２が形成されることになる。作業者が、斜め方向に対向する一対の突起部７２の周囲に沿わせるようにして固定用テープ９０を巻き付けることによって、電線９が電線保護具１ｈに対して固定される。ここでは、電線保護具１ｈの内部において、固定用テープ９０が電線９を斜め方向（分割部材１１ｈの対向方向に対して斜めの方向）から挟み込むようにして電線９を固定する。したがって、電線９は、その延在方向について電線保護具１ｈに対して固定されるとともに、電線保護具１ｈの内部において斜め方向に動かないように抑えられる。
【００７６】
図１７に示されるワイヤハーネス１００ｉにおいては、電線保護具１ｉを形成する分割部材１１ｉの各分岐部１１１ｉは、その先端部において、筒面の中央に切り欠き７３０が形成される。これによって、筒面の両側方にベロ状の突起部７３が形成されることになる。この分割部材１１ｉが電線９の上下側から組み合わされて形成される電線保護具１ｉにおいては、各分割部材１１ｉに形成された突起部７３が連なり合って１個の突起部７４が形成される。すなわち、一対の分割部材１１ｉが電線９の上下側から組み合わされて形成される電線保護具１ｉにおいては、各分岐部の先端（すなわち、電線９の出口）に、左右に対向する一対の突起部７４が形成されることになる。作業者が、左右に対向する一対の突起部７４の周囲に沿わせるようにして固定用テープ９０を巻き付けることによって、電線９が電線保護具１ｈに対して固定される。ここでは、電線保護具１ｈの内部において、固定用テープ９０が電線９を上下（分割部材１１ｉの対向方向）から挟み込むようにして電線９を固定する。したがって、電線９は、その延在方向について電線保護具１ｉに対して固定されるとともに、電線保護具１ｉの内部において上下に動かないように抑えられる。
【００７７】
＜第５の変形例＞
第３の実施の形態に係るワイヤハーネス１００ｂにおいては、その備える電線保護具１ｂを形成する分割部材１１ｂにおいて、ベロ状の突起部５を形成していたが、突起部５は必ずしもベロ状でなくてもよい。例えば、分割部材の分岐部に巻き付け用の余長部を形成してもよい。
【００７８】
図１８には、この変形例に係るワイヤハーネス１００ｊが示されている。この変形例は、いずれの分岐部１１１ｊも通らない特定線対称軸が存在する分割部材１１ｊ（例えば、図３の配置パターンＡ３）において適用することができる。この変形例においては、分割部材１１ｊにおいて、いずれの分岐部１１１ｊも通らない特定線対称軸Ｋ４を挟んで互いに対称の位置にある分岐部１１１ｊをペアとする。そして、全ペアにおいて、ペアとされた一対の分岐部１１１ｊの一方のみに余長部８を形成する。
【００７９】
この分割部材１１ｊが電線９の上下側から組み合わされて形成される電線保護具１ｊにおいては、各分岐部において、いずれか一方の分割部材１１ｊに形成された余長部８が突出する。すなわち、電線保護具１ｊの各分岐部の先端には、半筒状の突起が形成されることになる。作業者が、余長部８の溝に沿って電線９を嵌め入れた状態で、余長部８の周囲に沿わせるようにして固定用テープ９０を巻き付けることによって、電線９が電線保護具１ｊに対して固定される。
【符号の説明】
【００８０】
１００，１００ａ〜１００ｊ    ワイヤハーネス
１，１ａ〜１ｊ  電線保護具
１１，１１ａ〜１１ｊ  分割部材
４  窓部
５，７  突起部
６  切り欠き部
８  余長部
９  電線
【図１】
0005626046.tif 000002
【図２】
0005626046.tif 000003
【図３】
0005626046.tif 000004
【図４】
0005626046.tif 000005
【図５】
0005626046.tif 000006
【図６】
0005626046.tif 000007
【図７】
0005626046.tif 000008
【図８】
0005626046.tif 000009
【図９】
0005626046.tif 000010
【図１０】
0005626046.tif 000011
【図１１】
0005626046.tif 000012
【図１２】
0005626046.tif 000013
【図１３】
0005626046.tif 000014
【図１４】
0005626046.tif 000015
【図１５】
0005626046.tif 000016
【図１６】
0005626046.tif 000017
【図１７】
0005626046.tif 000018
【図１８】
0005626046.tif 000019